(57)【要約】【課題】楽曲識別情報を保存するために必要なデータを充分に受信できない環境において、ユーザが楽曲識別情報取得の指示を行った場合でも、楽曲識別情報が受信可能な環境になった時に自動的に内部メモリへ保存させることができるように支援する。【解決手段】楽曲を識別する楽曲識別情報を含むラジオ放送を受信するラジオ受信部と、放送中の楽曲の楽曲識別情報の取得の指示を行う操作部と、操作部の指示によって楽曲識別情報の保存を制御する制御部と、楽曲識別情報を保存する内部メモリとを有し、内部メモリは、受信した最新及び一つ前の楽曲識別情報を保存する一時記憶テーブルと、操作部より楽曲識別情報を取得する指示があった際に、楽曲識別情報のすべてが受信できない状況で、少なくとも楽曲を特定する情報を受信した場合、楽曲を特定する情報を保存する未保存楽曲識別テーブルと、を備えるオーディオ装置である。【選択図】図１
2012211947.tif 000002
【特許請求の範囲】
【請求項１】
放送中のオーディオ信号が表す楽曲を識別する楽曲識別情報を含むラジオ放送を受信するラジオ受信部と、
前記放送中の前記楽曲の楽曲識別情報の取得の指示を行う操作部と、
前記操作部の指示によって前記楽曲識別情報の保存を制御する制御部と、
前記楽曲識別情報を保存する内部メモリとを有し、
前記内部メモリは、
受信した最新及び一つ前の前記楽曲識別情報を保存する一時記憶テーブルと、
前記操作部より前記楽曲識別情報を取得する指示があった際に、前記楽曲識別情報のすべてが受信できない状況で、少なくとも楽曲を特定する情報を受信した場合、前記楽曲を特定する情報を保存する未保存楽曲識別テーブルと、を備えることを特徴とするオーディオ装置。
【請求項２】
前記内部メモリは、さらに、
前記操作部より前記楽曲識別情報取得の指示があった場合に、前記一時記憶テーブルまたは前記未保存楽曲識別テーブルに記憶した前記楽曲識別情報を保存するタグ管理用テーブルを備える内部メモリを備えることを特徴とする請求項１記載のオーディオ装置。
【請求項３】
前記制御部は、前記操作部からアナログラジオ放送中に前記楽曲識別情報を取得する操作が発生した場合に、その操作が行われる前にデジタルラジオ放送にて受信した最新の楽曲識別情報と、その操作の後にデジタルラジオ放送に切り替って受信した最新の楽曲識別情報を前記一時記憶テーブルに保存して比較を行い、２つが同一であれば、デジタルラジオ放送に切り替った後に受信した楽曲の前記楽曲識別情報を前記タグ管理用テーブルに保存することを特徴とする請求項２記載のオーディオ装置。
【請求項４】
前記制御部は、前記操作部からデジタルラジオ放送中に前記楽曲識別情報を取得する操作が発生した場合に、前記楽曲識別情報のすべてが受信できない状況で、少なくとも楽曲を特定する情報を受信していた場合、前記楽曲を特定する情報を前記未保存楽曲識別テーブルに保存するとともに、後に同一の前記楽曲を特定する情報を含む前記楽曲識別情報を受信した際に前記タグ管理用テーブルに保存することを特徴とする請求項２記載のオーディオ装置。
【請求項５】
外部機器に接続可能な外部インターフェース、を備え、
前記制御部は、前記タグ管理用テーブルに保存された前記楽曲識別情報を、前記外部インターフェースを介して、前記外部機器に保存させることを特徴とする請求項１から４いずれかに記載のオーディオ装置。
【請求項６】
放送中のオーディオ信号が表す楽曲を識別する楽曲識別情報を含むラジオ放送を受信するラジオ受信部と、
前記放送中の前記楽曲の楽曲識別情報の取得の指示を行う操作部と、
前記操作部の指示によって前記楽曲識別情報の保存を制御する制御部と、
前記楽曲識別情報を保存する内部メモリとを有し、
前記内部メモリは、
受信した最新及び一つ前の前記楽曲識別情報を保存する一時記憶テーブルと、
前記操作部より前記楽曲識別情報取得の指示があった場合に、前記一時記憶テーブルに記憶した前記楽曲識別情報を保存するタグ管理用テーブルを有する含む内部メモリを備え、
前記制御部は、前記操作部からアナログラジオ放送中に前記楽曲識別情報を取得する操作が発生した場合に、その操作が行われる前にデジタルラジオ放送にて受信した最新の楽曲識別情報と、その操作の後にデジタルラジオ放送に切り替って受信した最新の楽曲識別情報を前記一時記憶テーブルに保存して比較を行い、２つが同一であれば、デジタルラジオ放送に切り替った後に受信した楽曲の前記楽曲識別情報を前記タグ管理用テーブルに保存することを特徴とするオーディオ装置。
【請求項７】
放送中のオーディオ信号が表す楽曲を識別する楽曲識別情報を含むラジオ放送を受信するラジオ受信部と、
前記放送中の前記楽曲の楽曲識別情報の取得の指示を行う操作部と、
前記操作部の指示によって前記楽曲識別情報の保存を制御する制御部と、
前記楽曲識別情報を保存する内部メモリとを有し、
前記内部メモリは、
前記操作部より前記楽曲識別情報を取得する指示があった際に、前記楽曲識別情報のすべてが受信できない状況で、少なくとも楽曲を特定する情報を受信した場合、前記楽曲を特定する情報を保存する未保存楽曲識別テーブルと
前記操作部より前記楽曲識別情報取得の指示があった場合に、前記未保存楽曲識別テーブルに記憶した前記楽曲識別情報を保存するタグ管理用テーブルを有する含む内部メモリを備え、
前記制御部は、前記操作部からデジタルラジオ放送中に前記楽曲識別情報を取得する操作が発生した場合に、前記楽曲識別情報のすべてが受信できない状況で、少なくとも楽曲を特定する情報を受信していた場合、前記楽曲を特定する情報を前記未保存楽曲識別テーブルに保存するとともに、後に同一の前記楽曲を特定する情報を含む前記楽曲識別情報を受信した際に前記タグ管理用テーブルに保存することを特徴とするオーディオ装置。
【発明の詳細な説明】
【技術分野】
【０００１】
本発明は、サイマル放送を受信するデジタルラジオ受信機を備えたオーディオ装置において、楽曲識別情報を一部又はすべて受信できないような環境でユーザから楽曲識別情報を保存する旨の指示があった場合においても、自動的に内部メモリに保存することを可能としたオーディオ装置に関する。
【背景技術】
【０００２】
特許文献１に示す従来のオーディオ装置は、デジタルラジオ放送やＦＭ多重放送を受信している際、利用者が操作部を操作すると、オーディオデータと共に送信されている曲付加情報データを取り込み、ダウンロード指定用メモリに記録する。利用者の再度の指示によりダウンロード指定部は、ダウンロード指定用メモリに記録された曲付加情報データをオーディオ配信センターに送信する。オーディオ配信センターは、オーディオデータベースから指定された曲を検索し、オーディオ装置側に送信する。オーディオ装置は、送信された曲データをオーディオ記録媒体に記録する。なお、パーソナルコンピューターを介してオーディオ配信センターにアクセスする場合は、ポータブルオーディオ等の外部メモリをオーディオ装置に接続させ、記録していた楽曲識別情報を外部メモリに転送し、それをパーソナルコンピューターに接続することによって上記技術が実施可能となる。
【先行技術文献】
【特許文献】
【０００３】
【特許文献１】特開２００２−３１９２２６号公報
【発明の概要】
【発明が解決しようとする課題】
【０００４】
しかしながら、特許文献１に示した従来のオーディオ装置は楽曲識別情報を保存するために必要なデータすべてを受信した場合においてのみ内部メモリに保存することが可能なため、デジタル放送と同一の内容をサイマル放送しているアナログ放送を受信している場合や、デジタル放送でありながら充分なデータを受信できていないような場合においては、ユーザから楽曲識別情報保存の指示があった場合においてもこれを内部メモリに保存することはできないという問題があった。
【０００５】
本発明は、従来の問題を解決するためになされたもので、アナログ放送受信中又はデジタル放送受信中で充分なデータを受信できない環境において、ユーザから楽曲識別情報取得の指示があった場合でも、楽曲識別情報が受信可能な環境になった時に自動的に内部メモリに保存させることを可能とし、ポータブルオーディオ等の外部メモリが接続された場合には内部メモリから楽曲識別情報を外部メモリに転送させることができるデジタルラジオ受信機を備えたオーディオ装置を提供することを目的とする。
【課題を解決するための手段】
【０００６】
本発明は、放送中のオーディオ信号が表す楽曲を識別する楽曲識別情報を含むラジオ放送を受信するラジオ受信部と、前記放送中の前記楽曲の楽曲識別情報の取得の指示を行う操作部と、前記操作部の指示によって前記楽曲識別情報の保存を制御する制御部と、前記楽曲識別情報を保存する内部メモリとを有し、
前記内部メモリは、受信した最新及び一つ前の前記楽曲識別情報を保存する一時記憶テーブルと、前記操作部より前記楽曲識別情報を取得する指示があった際に、前記楽曲識別情報のすべてが受信できない状況で、少なくとも楽曲を特定する情報を受信した場合、前記楽曲を特定する情報を保存する未保存楽曲識別テーブルと、を備えることを特徴とするオーディオ装置である。
【発明の効果】
【０００７】
本発明によれば、ユーザは楽曲識別情報を保存するために必要なデータを充分に受信できない環境において、楽曲識別情報取得の指示を行った場合でも、楽曲識別情報が受信可能な環境になった時に自動的に内部メモリに保存させることができる。
【図面の簡単な説明】
【０００８】
【図１】本発明の実施の形態におけるオーディオ装置の内部構成を示すブロック図
【図２】本発明の実施の形態におけるオーディオ装置の内部メモリに保存される一時記憶テーブルの一例を示す説明図
【図３】本発明の実施の形態におけるオーディオ装置の内部メモリに保存される未保存楽曲識別テーブルの一例を示す説明図
【図４】本発明の実施の形態におけるオーディオ装置の内部メモリに保存されるタグ管理用テーブルの一例を示す説明図
【図５】本発明の実施の形態におけるオーディオ装置の新規楽曲受信時の振る舞いを表すフローチャート
【図６】本発明の実施の形態におけるオーディオ装置の楽曲識別情報取得指示発生時の振る舞いを表すフローチャート
【図７】本発明の実施の形態におけるオーディオ装置の一時記憶テーブル作成処理のフローチャート
【図８】本発明の実施の形態におけるオーディオ装置の未保存楽曲識別テーブル作成処理のフローチャート
【図９】本発明の実施の形態におけるオーディオ装置のタグ管理用テーブル作成処理のフローチャート
【図１０】本発明の実施の形態におけるオーディオ装置の外部メモリ接続時の振る舞いを表すフローチャート
【発明を実施するための形態】
【０００９】
以下に、本発明の実施形態について図面を参照しながら説明する。
【００１０】
本発明に係るオーディオ装置は、デジタルラジオ放送とサイマル放送されているアナログ放送を受信可能なラジオ受信部を備え、楽曲識別情報を保存するために必要なデータを受信できない環境において、ユーザから楽曲識別情報取得の指示があった場合でも、楽曲識別情報が受信可能な環境になった時に自動的に内部メモリに保存することを可能としたものである。
さらに、オーディオ装置がポータブルオーディオなど外部メモリと接続されている場合には、オーディオ装置は、当該外部メモリに楽曲識別情報を転送し、楽曲識別情報を外部メモリに保存させることが可能となる。
これにより、外部メモリをＰＣ（Personal Computer）などインターネット接続することができる機器に接続して、外部メモリの楽曲識別情報を利用して所望の楽曲をインターネット経由で取得（ＰＣのハードディスクなどに保存）することができる。
【００１１】
図１は、本発明の実施の形態におけるオーディオ装置１の内部構成を示すブロック図である。
【００１２】
オーディオ装置１は、受信用アンテナＡＮＴが接続されたラジオ受信部１１ａ、復調分離部１１ｂ、リムーバブルディスクドライブ１２、外部インターフェース１３、制御部１４、オーディオ処理部１５、スピーカ１６、表示部１７、操作部１８、及び内部メモリ１９を備えている。
【００１３】
また、内部メモリ１９は、一時記憶テーブル２０、未保存楽曲識別テーブル２１、及びタグ管理用テーブル２２を含む様に保存している。
【００１４】
オーディオ装置１は、外部インターフェース１３を介して、半導体メモリカードやＵＳＢメモリ装置などのポータブル記憶装置２や、ポータブルオーディオプレイヤ３などの外部機器を選択的に接続することができる。
【００１５】
次に、オーディオ装置１に接続されるポータブル記憶装置２及びポータブルオーディオプレイヤ３について説明する。
【００１６】
ポータブル記憶装置２は、半導体メモリカード、又はＵＳＢ（universal serial bus）メモリ装置などで構成され、外部インターフェース１３を介して、オーディオ装置１と接続される。ポータブル記憶装置２は、オーディオ装置１で再生可能な楽曲のオーディオファイルを記憶している。また、ポータブル記憶装置２は、オーディオファイルに保存されたオーディオデータの楽曲識別情報を記憶している。
【００１７】
ポータブルオーディオプレイヤ３は、ポータブルオーディオプレイヤ３に内蔵したＨＤＤ（hard disk drive）や、ＲＡＭなどの半導体メモリに楽曲のオーディオファイルを記録し、記録したオーディオファイルの再生処理を行う携帯可能な装置である。また、ポータブルオーディオプレイヤ３は、オーディオファイルに保存されたオーディオデータの楽曲識別情報を記憶している。
【００１８】
また、ポータブルオーディオプレイヤ３は、単独使用時には、オーディオファイルの再生処理の際、当該オーディオファイルに保存されたオーディオデータが表す音声を、ポータブルオーディオプレイヤ３に備えられている音声出力端子に出力する。
【００１９】
ポータブルオーディオプレイヤ３は、オーディオ装置１との接続時には、オーディオファイルの再生処理の際、外部インターフェース１３を介して、当該オーディオファイルのオーディオデータをオーディオ装置１へ出力する。
【００２０】
ポータブル記憶装置２及びポータブルオーディオプレイヤ３は、外部インターフェース１３を介してオーディオ装置１に接続された際、後述するタグ管理用テーブル２２に保存された楽曲識別情報をオーディオ装置１から取得して保存する。
【００２１】
次に、オーディオ装置１の内部構成について説明する。
【００２２】
ラジオ受信部１１ａは、受信用アンテナＡＮＴを介して、楽曲識別情報を含むデジタルラジオ放送を受信する。ここで、楽曲識別情報とは、デジタルラジオ放送で放送（再生）中の楽曲を特定したりあるいは楽曲の属性を表すものであり、タグ情報とも言う。
【００２３】
本発明の実施の形態においては、各楽曲の楽曲識別情報には、楽曲のタイトル名（楽曲名）、アーティスト名、楽曲ＩＤ、再生日時、放送局名などを含む情報が用いられる。
特に、楽曲のタイトル名、楽曲ＩＤ、再生日時及び放送局名のセットは、楽曲を一意に特定できるので、楽曲を特定する情報となる。
【００２４】
ラジオ受信部１１ａは、ユーザが操作部１８を介して選局（選択）した受信チャンネルのアナログラジオ放送又はデジタルラジオ放送の放送信号を受信する。この受信された放送信号は、復調分離部１１ｂに入力される。
【００２５】
復調分離部１１ｂは、ラジオ受信部１１ａにより出力された放送信号を入力する。復調分離部１１ｂは、入力された放送信号を復調する。復調分離部１１ｂは、デジタルラジオ放送信号を受信中の場合、復調により、入力された放送信号から、楽曲のオーディオデータと楽曲識別情報とに分離する。復調分離部１１ｂは、オーディオデータ及び楽曲識別情報をそれぞれ制御部１４に出力する。
【００２６】
リムーバブルディスクドライブ１２は、ＣＤ（compact disk）やＤＶＤ（digital versatile disk）を再生可能な装置である。リムーバブルディスクドライブ１２に例えばＣＤが挿入された場合には、制御部１４は、挿入されたＣＤに記録されたオーディオファイルを読み出し、オーディオ処理部１５及びスピーカ１６を介して、音声出力させる。
【００２７】
制御部１４は、オーディオ装置１に内蔵されるＣＰＵ（central processing unit）、ＲＯＭ（read only memory）、ＲＡＭ（random access memory）などで構成され、ＲＯＭに記憶されたプログラムに従って、オーディオ装置１の各部の動作を制御する。
【００２８】
例えば、制御部１４は、ユーザの操作部１８の操作によってオーディオソースとしてデジタルラジオ放送が設定されたときには、オーディオ装置１で放送（再生）可能な放送局のうち操作部１８のユーザ操作に応じて、ラジオ受信部１１ａが受信可能な受信チャンネルを設定する。
【００２９】
また、制御部１４は、オーディオ処理部１５に、復調分離部１１ｂが出力したオーディオデータが表す音声をスピーカ１６に出力させる。
【００３０】
また、操作部１８をユーザが操作することによって外部インターフェース１３に接続されたポータブル記憶装置２や、リムーバブルディスクドライブ１２に装着されたＣＤやＤＶＤに記録されているオーディオファイルの再生が指示されたとする。この場合、制御部１４は、再生が指示されたオーディオファイルのオーディオデータを読み出して、オーディオ処理部１５に出力すると共に、オーディオ処理部１５に、当該出力したオーディオデータが表す音声をスピーカ１６から出力させる。
【００３１】
更に、制御部１４は、ユーザが操作部１８を操作することによって外部インターフェース１３に接続されたポータブルオーディオプレイヤ３の再生を指示された場合、再生が指示されたオーディオファイルを、ポータブルオーディオプレイヤ３から取得する。制御部１４は、オーディオ処理部１５に、ポータブルオーディオプレイヤ３から取得したオーディオファイルに保存されたオーディオデータが表す音声をスピーカ１６に出力させる。
【００３２】
オーディオ処理部１５は、制御部１４により出力されたオーディオファイルを入力する。オーディオ処理部１５は、入力されたオーディオファイルに保存されたオーディオデータが表す音声（楽曲）のレベルを増幅してスピーカ１６に出力する処理を行う。
【００３３】
スピーカ１６は、オーディオ処理部１５により増幅されたオーディオデータを出力する。
【００３４】
表示部１７は、例えばオーディオ装置１のＬＣＤ（liquid crystal display）により構成され、制御部１４の制御の下で、デジタルラジオ放送の受信が可能な放送局、又は、楽曲識別情報などを表示する。
【００３５】
操作部１８は、例えばオーディオ装置１の前面に設けられ、各種のボタン、方向キー、テンキー、若しくは表示部１７の上に配置されたタッチパネル等のハードウェア、又は、表示部１７に当該ボタン、方向キー、テンキー等の機能を有するソフトウェアキーボードが仮想的に表示されたソフトウェアで構成される。
【００３６】
また、操作部１８は、オーディオ装置１とは異なるリモートコントローラ端末からの操作内容を含む操作信号を受信可能な受信部で構成されても良い。
【００３７】
内部メモリ１９には、図１に示す様に、一時記憶テーブル２０、未保存楽曲識別テーブル２１及びタグ管理用テーブル２２が保存されている。
【００３８】
一時記憶テーブル２０は、ラジオ受信部１１ａがデジタルラジオ放送を受信した際に、復調分離部１１ｂにより分離された楽曲のオーディオデータと楽曲識別情報とのうち、楽曲の楽曲識別情報を保存する。
【００３９】
未保存楽曲識別テーブル２１は、ラジオ受信部１１ａがデジタルラジオ放送を受信した際に、復調分離部１１ｂにより分離された楽曲のオーディオデータと楽曲識別情報とのうち、楽曲識別情報内にある楽曲を特定する情報を保存する。以下では、楽曲ＩＤを楽曲を特定する情報の例として説明するが、他の楽曲を特定する情報を用いて同様の処理を行うことも可能である。
【００４０】
ここで、図２は、本発明の実施の形態におけるオーディオ装置１の内部メモリ１９に保存される一時記憶テーブル２０の一例である。図２に示す様に、楽曲識別情報は、詳細に示すと、アーティスト、タイトル、楽曲ＩＤ、放送局、放送日時などを含む情報である。
【００４１】
上述した様に、一時記憶テーブル２０は、ラジオ受信部１１ａがデジタルラジオ放送を受信した際に、復調分離部１１ｂにより分離された楽曲のオーディオデータと楽曲識別情報とのうち、楽曲の楽曲識別情報を保存するテーブルである。復調分離部１１ｂが楽曲の楽曲識別情報を制御部１４に出力すると、制御部１４は、この楽曲識別情報を受け取る度に、当該楽曲識別情報を一時記憶テーブル２０の番号１に上書き保存し、元々番号１にあった楽曲識別情報を番号２に上書き保存する。これにより、一時記憶テーブル２０の番号１には常に受信した最新の楽曲識別情報が保存され、番号２には一つ前に受信したものが保存される。
【００４２】
次に、図３は、本発明の実施の形態におけるオーディオ装置１の内部メモリ１９に保存される未保存楽曲識別テーブル２１の一例である。図３に示す様に、未保存楽曲識別テーブル２１は、楽曲の楽曲識別情報のうち、楽曲を特定する情報である楽曲ＩＤを保存するテーブルである。操作部１８をユーザが操作することによって楽曲識別情報の取得操作の指示があった場合に、楽曲識別情報を作成するために必要なデータを充分に受信できていなかった時に、少なくても再生中（放送中）の楽曲の楽曲ＩＤを受信していればそれを保存する。
【００４３】
次に、図４は、本発明の実施の形態におけるオーディオ装置１の内部メモリ１９に保存されるタグ管理用テーブル２２の一例である。図４に示す様に、タグ管理用テーブル２２は、アーティスト、タイトル、楽曲ＩＤ、放送局、放送日時などを含む楽曲識別情報を保存するテーブルである。操作部１８をユーザが操作することによって楽曲識別情報の取得指示がなされた場合、又は制御部１４により受信中又は一時記憶テーブル２０に保存されている楽曲識別情報を保存すると判断した場合に、これをタグ管理用テーブル２２に保存する。
【００４４】
ここで、ポータブル記憶装置２やポータブルオーディオプレイヤ３などの外部メモリがオーディオ装置１に接続された場合は、制御部１４は、タグ管理用テーブル２２に保存された楽曲識別情報を外部メモリに転送する。更に、このとき、制御部１４は、転送された楽曲識別情報をタグ管理用テーブル２２から削除する。
なお、内部メモリ１９に、一時記憶テーブル２０、未保存楽曲識別テーブル２１、タグ管理用テーブル２２を保存する場合、それぞれのテーブルを別のファイルとしてそれぞれ保存することはもちろん、一つのテーブルに保存しておき、フラグやマーカーを立ててこれらのテーブルに相当する情報を取り出せるようにすることも含まれる。そして、このように、フラグ等を立てて必要な情報を取り出せるようにする場合も、「テーブル」に含まれる。
また、内部メモリ１９は、物理的に３つのメモリを設けてそれぞれのテーブルを格納してもよいし、１つの物理的なメモリを設け、領域を分けてそれぞれのテーブルを格納してもよい。
【００４５】
以上のように構成されたオーディオ装置１について、以下にその処理動作を説明する。先ず、本発明に係るオーディオ装置１におけるデジタルラジオ放送中の新規楽曲受信時の振る舞いについて説明する。
【００４６】
図５は、本発明の実施の形態におけるオーディオ装置１のデジタルラジオ放送中の新規楽曲受信時の振る舞いのフローチャートである。なお、オーディオ装置１は、ラジオ受信部１１ａがデジタルラジオを放送中に新規楽曲を受信する度に、図５のフローチャートの各処理を行う。
【００４７】
復調分離部１１ｂが新規の楽曲を受信した場合、図５において、制御部１４は、まず楽曲識別情報を受信したか確認を行い（ステップＳ５０１）、受信していなかった場合は（ステップＳ５０１におけるＮＯ）処理を終了する。
【００４８】
受信した場合（ステップＳ５０１におけるＹＥＳ）、後に記述する一時記憶テーブル２０の作成処理を実施する（ステップＳ５０２）。その後、後に記述するタグ作成モードが１か確認を行う（ステップＳ５０３）。タグ作成モードが１であった場合（ステップＳ５０３におけるＹＥＳ）、一時記憶テーブル２０に保存された２つの楽曲識別情報（最新とその一つ前）を比較する（ステップＳ５０４）。２つが同一であった場合（ステップＳ５０４におけるＹＥＳ）、後に記述するタグ管理用テーブル２３の作成処理を実施し（ステップＳ５０５）この処理を終了する。
【００４９】
また、タグ作成モードが１でなかった場合（ステップＳ５０３におけるＮＯ）又は一時記憶テーブル２０に保存された２つの楽曲識別情報が同一でなかった場合（ステップＳ５０４におけるＮＯ）、受信した楽曲識別情報の楽曲ＩＤが未保存楽曲識別テーブル２１に存在するか確認を行い（ステップＳ５０６）、存在していた場合は（ステップＳ５０６におけるＹＥＳ）タグ作成モードを３にしてステップＳ５０５へ移り、存在していなかった場合は（ステップＳ５０６におけるＮＯ）処理を終了する。
【００５０】
これにより、オーディオ装置１は、図５に示す処理を終了する。
【００５１】
ここで、前記タグ作成モードとは、タグ管理用テーブル２２を作成する際に用いるデータであり、アナログラジオ放送受信中に楽曲識別情報取得の指示があった場合は１、デジタルラジオ放送受信中に楽曲識別情報取得の指示があり、楽曲識別情報を受信していた場合は２、受信した楽曲識別情報の楽曲ＩＤが未保存楽曲識別テーブル２１内に存在する場合は３に設定することでタグ管理用テーブル２２の作成が可能となる。
【００５２】
次に、本発明に係るオーディオ装置１における楽曲識別情報取得の指示があった場合の振る舞いについて説明する。
【００５３】
図６は、本発明の実施の形態におけるオーディオ装置１の楽曲識別情報取得の指示があった場合の振る舞いのフローチャートである。なお、この処理はデジタルラジオ放送中又はアナログラジオ放送中に係わらず、操作部１８より楽曲識別情報の取得指示があった場合に実施する。
【００５４】
図６において、制御部１４は、まずデジタルラジオ放送を受信しているか確認し（ステップＳ６０１）、受信している場合は（ステップＳ６０１におけるＹＥＳ）、楽曲識別情報を受信可能か判別する（ステップＳ６０２）。受信可能な場合は（ステップＳ６０２におけるＹＥＳ）、ポータブルオーディオプレイヤーなどの外部メモリが接続されているか確認し（ステップＳ６０３）、接続されていた場合は（ステップＳ６０３におけるＹＥＳ）受信した楽曲識別情報を外部メモリへ転送し（ステップＳ６０４）処理を終了する。
【００５５】
デジタルラジオ放送を受信していなかった場合は（ステップＳ６０１におけるＮＯ）、前記タグ作成モードを１に設定し（ステップＳ６０５）処理を終了する。
【００５６】
楽曲識別情報が受信不可能であった場合は（ステップＳ６０２におけるＮＯ）、後に記述する未保存楽曲識別テーブル２１の作成処理へ移動し（ステップＳ６０６）処理を終了する。
【００５７】
外部メモリが接続されていなかった場合は（ステップＳ６０３におけるＮＯ）、前記タグ作成モードを２に設定し（ステップＳ６０７）、後に記述するタグ管理用テーブル２２の作成処理へ移動して（ステップＳ６０８）処理を終了する。
【００５８】
これにより、オーディオ装置１は、図６に示す処理を終了する。
【００５９】
次に、本発明に係るオーディオ装置１における一時記憶テーブル２０の作成処理について説明する。
【００６０】
図７は、本発明の実施の形態におけるオーディオ装置１の一時記憶テーブル２０の作成処理のフローチャートである。図５に示した通り、本処理はデジタルラジオ放送中に新規楽曲を受信し、且つ楽曲識別情報を受信した場合にのみ実施する。
【００６１】
図７において、制御部１４は、まず一時記憶テーブル２０に楽曲識別情報が保存されているか確認を行い（ステップＳ７０１）、保存されていた場合（ステップＳ７０１におけるＹＥＳ）、一時記憶テーブル２０の番号１に保存されている楽曲識別情報を番号２に移動させ（ステップＳ７０２）、その後受信した楽曲識別情報を一時記憶テーブル２０の番号１に保存して（ステップＳ７０３）処理を終了する。
【００６２】
一時記憶テーブル２０に楽曲識別情報が保存されていなかった場合は（ステップＳ７０１におけるＮＯ）、ステップＳ７０２の処理は行わずにステップＳ７０３へ移る。
【００６３】
これにより、オーディオ装置１は、図７に示す処理を終了する。
【００６４】
この処理を行うことにより、一時記憶テーブル２０の番号１には常に受信した最新の楽曲識別情報が保存され、番号２には一つ前に受信したものが保存される。
【００６５】
また、図５及び図６に示したように、アナログラジオ放送中に楽曲識別情報取得の指示があった場合はタグ作成モードを１に設定し、デジタルラジオ放送において楽曲識別情報を受信した場合にはこの一時記憶テーブルの番号１と２に保存された楽曲識別情報を比較することで、２つが同じであった場合にはアナログラジオ放送中においても同一の曲が再生されていたと判断してタグ管理用テーブル２２に保存することが可能となる。
【００６６】
次に、本発明に係るオーディオ装置１における未保存楽曲識別テーブル２１の作成処理について説明する。
【００６７】
図８は、本発明の実施の形態におけるオーディオ装置１の未保存楽曲識別テーブル２１の作成処理のフローチャートである。図６に示した通り、本処理はデジタルラジオ放送中に楽曲識別情報取得の指示があり、且つその楽曲識別情報が受信できなかった場合にのみ実施する。
【００６８】
図８において、制御部１４は、デジタルラジオ放送において復調分離部１１ｂにて楽曲ＩＤを受信したか判別を行い（ステップＳ８０１）、受信していた場合は（ステップＳ８０１におけるＹＥＳ）、未保存楽曲識別テーブル２１内に同一の楽曲ＩＤが存在するかを確認する（ステップＳ８０２）。存在していた場合は（ステップＳ８０２におけるＹＥＳ）、表示部１７に楽曲識別情報取得を予約済みである旨を表示して（ステップＳ８０３）処理を終了する。
【００６９】
未保存楽曲識別テーブル２１内に同一の楽曲ＩＤが存在していなかった場合には（ステップＳ８０２におけるＮＯ）受信した楽曲ＩＤを未保存楽曲識別テーブル２１に追加して（ステップＳ８０４）、表示部１７に楽曲識別情報取得の予約を行った旨を表示し（ステップＳ８０５）処理を終了する。
【００７０】
また、楽曲ＩＤを受信していなかった場合は（ステップＳ８０１におけるＮＯ）、表示部１７に楽曲識別情報を取得できない旨を表示して（ステップＳ８０６）処理を終了する。
【００７１】
この処理を行うことにより、オーディオ装置１はデジタルラジオ放送中に楽曲識別情報が受信できないような環境においても楽曲ＩＤを保存しておくことで、図５に示したように、新規楽曲識別情報を受信した際に同一の楽曲ＩＤが未保存楽曲識別テーブル２１内に存在していれば、自動的にその楽曲識別情報を保存することが可能となる。
【００７２】
次に、本発明に係るオーディオ装置１におけるタグ管理用テーブル２２の作成処理について説明する。
【００７３】
図９は、本発明の実施の形態におけるオーディオ装置１のタグ管理用テーブル２２の作成処理のフローチャートである。この処理は、図５に示した通り、デジタルラジオ放送中に楽曲識別情報を受信し、タグ作成モードが１且つ一時記憶テーブル２０の番号１に保存された楽曲識別情報が番号２のものと同一だった場合と、受信した楽曲ＩＤが未保存楽曲識別テーブル２１内に存在していた場合と、図６に示した通り、デジタルラジオ放送中に楽曲識別情報を受信し、その取得指示があった場合の３通りのイベントが発生した時にのみ実施する。
【００７４】
図９において、制御部１４は、タグ作成モードの種別によって実施する処理を分ける。タグ作成モードが１の場合（ステップＳ９０１におけるＹＥＳ）、一時記憶テーブル２１の番号１に保存された楽曲識別情報をタグ管理用テーブル２２に追加保存し（ステップＳ９０２）、未保存楽曲識別テーブル２１内に同一の楽曲ＩＤが存在すればそれを消去し（ステップＳ９０３）、タグ作成モードを０に設定して（ステップＳ９０４）処理を終了する。
【００７５】
タグ作成モードが２又は３の場合（ステップＳ９０１におけるＮＯ、及びステップＳ９０５におけるＹＥＳ）、受信した楽曲識別情報をタグ管理用テーブル２２に追加保存し（ステップＳ９０６）、前記ステップＳ９０３へ移る。
【００７６】
タグ作成モードが２又は３でなかった場合は（ステップＳ９０５におけるＮＯ）、前記ステップＳ９０４へ移る。
【００７７】
この処理を行うことにより、デジタルラジオ放送中に楽曲識別情報を受信し、タグ作成モードが１且つ一時記憶テーブル２０の番号１に保存された楽曲識別情報が番号２のものと同一だった場合と、受信した楽曲ＩＤが未保存楽曲識別テーブル２１内に存在していた場合と、デジタルラジオ放送中に楽曲識別情報を受信し、その取得指示があった場合の３通りのイベントが発生した時にタグ管理用テーブルを更新させることが可能となる。
【００７８】
次に、本発明に係るオーディオ装置１における外部メモリが接続された場合の振る舞いについて説明する。
【００７９】
図１０は、本発明の実施の形態におけるオーディオ装置１にポータブル記憶装置２やポータブルオーディオプレイヤー３等の外部メモリが接続された場合の振る舞いのフローチャートである。
【００８０】
図１０において、制御部１４は、まずタグ管理用テーブル２２に楽曲識別情報が保存されているか確認を行い（ステップＳ１００１）、保存されていた場合は（ステップＳ１００１におけるＹＥＳ）、そのデータを外部メモリに転送させ（ステップＳ１００２）、タグ管理用テーブル２２内の楽曲識別情報を消去し（ステップＳ１００３）処理を終了する。
【００８１】
タグ管理用テーブル２２に楽曲識別情報が保存されていなかった場合は（ステップＳ１００１におけるＮＯ）、何も行わずに処理を終了する。
【００８２】
なお、本実施の形態における外部メモリとして、インターネットに接続することができる、所謂スマートフォンなどの携帯電話端末を用いて、スマートフォンがインターネット経由にて楽曲をダウンロードするように構成されてもよく、さらに、この場合ダウンロードした楽曲をスマートフォン内のメモリ又はオーディオ装置内のＨＤＤなどのメモリに保存させるようにしてもよい。
また、本オーディオ装置の制御部１３にバスで直結して通信部を設け、制御部１３がタグ管理用テーブル２２を参照して通信部を介して楽曲をダウンロードし、内部メモリ１９や書き込み可能なリムーバブルディスクドライブ１２、あるいは外部インターフェース１３を介して外部メモリにダウンロードした楽曲を保存するようにしてもよい。
【００８３】
以上のように本発明の実施の形態のオーディオ装置１によれば、ユーザは楽曲識別情報を保存するために必要なデータを充分に受信できない環境において、楽曲識別情報保存の指示を行った場合でも、楽曲識別情報が受信可能な環境になった時に自動的に内部メモリに保存させることができるようになる。
【００８４】
さらに、本発明のオーディオ装置の内部メモリは、さらに、操作部より楽曲識別情報取得の指示があった場合に、一時記憶テーブルまたは未保存楽曲識別テーブルに記憶した楽曲識別情報を保存するタグ管理用テーブルを備える。
【００８５】
また、本発明のオーディオ装置の制御部は、操作部からアナログラジオ放送中に楽曲識別情報を取得する操作が発生した場合に、その操作が行われる前にデジタルラジオ放送にて受信した最新の楽曲識別情報と、その操作の後にデジタルラジオ放送に切り替って受信した最新の楽曲識別情報を前記一時記憶テーブルに保存して比較を行い、２つが同一であれば、デジタルラジオ放送に切り替った後に受信した楽曲の楽曲識別情報をタグ管理用テーブルに保存する。
あるいは、また、本発明のオーディオ装置は、放送中のオーディオ信号が表す楽曲を識別する楽曲識別情報を含むラジオ放送を受信するラジオ受信部と、放送中の楽曲の楽曲識別情報の取得の指示を行う操作部と、操作部の指示によって楽曲識別情報の保存を制御する制御部と、楽曲識別情報を保存する内部メモリとを有し、内部メモリは、受信した最新及び一つ前の楽曲識別情報を保存する一時記憶テーブルと、操作部より楽曲識別情報取得の指示があった場合に、一時記憶テーブルに記憶した楽曲識別情報を保存するタグ管理用テーブルを有する含む内部メモリを備え、制御部は、操作部からアナログラジオ放送中に楽曲識別情報を取得する操作が発生した場合に、その操作が行われる前にデジタルラジオ放送にて受信した最新の楽曲識別情報と、その操作の後にデジタルラジオ放送に切り替って受信した最新の楽曲識別情報を一時記憶テーブルに保存して比較を行い、２つが同一であれば、デジタルラジオ放送に切り替った後に受信した楽曲の楽曲識別情報をタグ管理用テーブルに保存する。
これにより、ユーザはデジタルラジオ放送と同一の内容をサイマル放送しているアナログラジオ放送中に楽曲識別情報を取得する操作を行った場合においても、楽曲識別情報が受信可能な状態になった時に自動的に内部メモリに保存させることが可能となる。
【００８６】
また、本発明のオーディオ装置の制御部は、操作部からデジタルラジオ放送中に楽曲識別情報を取得する操作が発生した場合に、楽曲識別情報のすべてが受信できない状況で、少なくとも楽曲を特定する情報を受信していた場合、楽曲を特定する情報を未保存楽曲識別テーブルに保存するとともに、後に同一の楽曲を特定する情報を含む楽曲識別情報を受信した際にタグ管理用テーブルに保存する。
あるいは、本発明のオーディオ装置が、放送中のオーディオ信号が表す楽曲を識別する楽曲識別情報を含むラジオ放送を受信するラジオ受信部と、放送中の楽曲の楽曲識別情報の取得の指示を行う操作部と、操作部の指示によって楽曲識別情報の保存を制御する制御部と、楽曲識別情報を保存する内部メモリとを有し、内部メモリは、操作部より楽曲識別情報を取得する指示があった際に、楽曲識別情報のすべてが受信できない状況で、少なくとも楽曲を特定する情報を受信した場合、楽曲を特定する情報を保存する未保存楽曲識別テーブルと、操作部より楽曲識別情報取得の指示があった場合に、未保存楽曲識別テーブルに記憶した楽曲識別情報を保存するタグ管理用テーブルを有する含む内部メモリを備え、制御部は、操作部からデジタルラジオ放送中に楽曲識別情報を取得する操作が発生した場合に、楽曲識別情報のすべてが受信できない状況で、少なくとも楽曲を特定する情報を受信していた場合、楽曲を特定する情報を未保存楽曲識別テーブルに保存するとともに、後に同一の楽曲を特定する情報を含む楽曲識別情報を受信した際にタグ管理用テーブルに保存する。
これにより、楽曲識別情報のすべてが受信できない状況であっても、楽曲を特定する情報、例えば楽曲ＩＤを保存し情報取得を予約しておくことで、後に同一の楽曲が再生された時に自動的に楽曲識別情報を保存することが可能となりユーザの楽曲識別情報取得の効率を高めることができる
【００８７】
さらに、本発明のオーディオ装置は、外部機器に接続可能な外部インターフェースを備え、制御部は、タグ管理用テーブルに保存された楽曲識別情報を、外部インターフェースを介して、外部機器に保存させる。
これにより、オーディオ装置に保存されていて、外部メモリに保存されていない楽曲識別情報を外部メモリに転送することができ、ユーザの当該楽曲識別情報の活用範囲を拡大させることができる。
【００８８】
以上、添付図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８９】
本発明のデジタルラジオ受信機を備えたオーディオ装置は、家庭用オーディオ装置の他に車載用オーディオ装置やポータブルタイプのオーディオ装置としても有用である。
【符号の説明】
【００９０】
１  オーディオ装置
２  ポータブル記憶装置
３  ポータブルオーディオプレイヤ
１１ａ  ラジオ受信部
１１ｂ  復調分離部
１２  リムーバブルディスクドライブ
１３  外部インターフェース
１４  制御部
１５  オーディオ処理部
１６  スピーカ
１７  表示部
１８  操作部
１９  内部メモリ
２０  一時記憶テーブル
２１  未保存楽曲識別テーブル
２２  タグ管理用テーブル
ＡＮＴ  受信用アンテナ
【図１】
2012211947.tif 000003
【図２】
2012211947.tif 000004
【図３】
2012211947.tif 000005
【図４】
2012211947.tif 000006
【図５】
2012211947.tif 000007
【図６】
2012211947.tif 000008
【図７】
2012211947.tif 000009
【図８】
2012211947.tif 000010
【図９】
2012211947.tif 000011
【図１０】
2012211947.tif 000012